(57)【要約】【課題】  複数枚の原稿の中からあらかじめ送信する原稿を選択し、複写や送信操作を行うことができ、また、裏面を読み取ったデータをそのまま片面印字しかできない受信機に送信するときに、原稿の上下を揃えて送信するファクシミリ装置を提供する。【解決手段】  読み取った原稿の黒字率が所定以下であった場合は白紙ページを複写や送信の対象にしなくすることができ、また、受信側が両面印刷機能がない場合に、白紙ページの送信を省略し、さらに、裏面を読み取ったデータを上下反対にして送信するので、受信側が上下逆さまの受信をなくすファクシミリ装置１０である。【選択図】      図４
2005101732.tif 000002
【特許請求の範囲】
【請求項１】
原稿の両面を読み取って複写や送信をするファクシミリ装置において、
前記ファクシミリ装置は、読み取った原稿の黒字率が算出可能な読取部を備え、該読取部が読み取った原稿の黒字率が所定以下であった場合は白紙ページを削除して、他のページを複写や送信をする
ことを特徴とするファクシミリ装置。
【請求項２】
請求項１に記載のファクシミリ装置において、
前記ファクシミリ装置は、読取部が白紙ページを検出した場合に、
白紙ページを複写や送信の対象とするかオペレータが選択可能とする
ことを特徴とするファクシミリ装置。
【請求項３】
請求項１又は２に記載のファクシミリ装置において、
前記ファクシミリ装置は、受信側に両面印刷機能がない場合は、自動的に白紙ページを削除して送信する
ことを特徴とするファクシミリ装置。
【請求項４】
請求項１ないし３のいずれかに記載のファクシミリ装置において、
前記ファクシミリ装置は、読取部が裏面を読み取ったデータを上下反対にして送信する
ことを特徴とするファクシミリ装置。
【請求項５】
請求項１ないし４のいずれかに記載のファクシミリ装置において、
前記ファクシミリ装置は、読取部が裏面の読み取ったデータを上下反対しするか、そのまま送信するかを選択可能とする
ことを特徴とするファクシミリ装置。
【請求項６】
請求項１ないし５のいずれかに記載のファクシミリ装置において、
前記ファクシミリ装置は、読取部が裏面を読み取ったデータを上下反対にし、かつ、白紙ページは削除して送信する
ことを特徴とするファクシミリ装置。
【請求項７】
請求項１ないし５のいずれかに記載のファクシミリ装置において、
前記ファクシミリ装置は、複写や送信をする場合に、表示部に複写や送信の対象となったページ数と削除したページ数と読み取ったページ数を表示する
ことを特徴とするファクシミリ装置。
【発明の詳細な説明】
【技術分野】
【０００１】
本発明は、メモリ送信機能を備えるファクシミリ装置に関し、更に詳細には、原稿読み取った情報を処理して送信するファクシミリ装置に関するものである。
【背景技術】
【０００２】
従来より、画像を読み取って、その内容を送信するファクシミリ装置においては、読み取った画像に白紙である場合や複数入力画像のなかに白紙画像が含まれている場合、そのまま送信動作が行われて、受け取った方は白紙の画像をそのまま出力されていた。
また、読取部が両面原稿を読み取り可能な場合は、両面／片面／白紙原稿が混在しているが、これまではそのまま送信動作が行われて、受け取った方は両面に原稿再現できず、片面ずつのファクシミリ装置では、上下が逆さに再現されていた。
【０００３】
これらの、事情に対応して、例えば、特許文献１では、原稿の表面の情報を読み取る第１の画像読み取り手段と、原稿の裏面の情報を読み取る第２の画像読み取り手段と、前記第１の画像読み取り手段と前記第２の画像読み取り手段によって読み取られた画像データを一つの文書データとして合成する文書合成手段と、前記文書合成手段によって合成された文書データを記憶する記憶手段とを有し、前記合成手段は文書データの合成に際して、原稿の裏面の情報の内白紙頁の情報を除外する手段を有する電子ファイリング装置が開示されている。特許文献２では、画像データを入力する外部画像入力手段と、入力画像データが白紙画像のものであるかどうかを判定する判定手段と、この判定手段の判定結果に応じて画像出力を行うかどうかを選択する選択手段と、この選択手段の選択に基づいて画像出力を行う外部画像出力手段とを有し、入力された画像データが白紙画像のものである場合に、外部出力を行わないことが可能である画像形成装置が開示されている。しかし、これらはいずれも、白紙ページを削除して登録とあるが、送信あるいはオペレータ選択、裏面のデータ変換といった制御はないという不具合がある。
【０００４】
また、特許文献３では、原稿の両面側から画像を読み取るための表面読取センサ１２および裏面読取センサ１４を、表面読取センサ１２の読取位置Ａと裏面読取センサ１４の読取位置Ｂとの間を距離Ｌだけ離して設ける。そして、片面読取モードにおいて、原稿の先端が読取位置Ａから読取位置Ｂまで移動する間に表面読取センサ１２が読み取った画像データをもとに、原稿の表面に画像があるか否か検出し、画像が検出されれば裏面読取センサ１４による画像読み取りを中止させる。また、原稿の表面が白紙で裏面に画像が検出された場合、および原稿の両面が白紙の場合はオペレータにセット状態を確認させる両面読取装置が開示されている。しかし、単純に両面を読み取る内容で、読み取った後のデータ処理はないという不具合がある。
【０００５】
また、特許文献４では、両面読取り、両面記録可能なファクシミリ装置において、受信機から送信機に両面記録機能の有無、および望ましい裏面の情報の送信方法を通知する手段を有し、一方、送信機から受信機に両面読取りの実行の有無、裏面の情報の送信方法を通知する手段を有するファクシミリ装置が開示されている。しかし、両面原稿で白紙の混ざった原稿では、原稿の表裏の情報が関係している場合がありその選択をオペレータが容易に設定できるのが、相手方のファクシミリ装置に無関係に送信側が送信内容を指定しているだけであるという不具合がある。
【０００６】
【特許文献１】特開平７−７３２９４号公報
【特許文献２】特開平７−２６４３６３号公報
【特許文献３】特開平１１−１３６４４２号公報
【特許文献４】特開平１１−１８７２３４号公報
【発明の開示】
【発明が解決しようとする課題】
【０００７】
そこで、本発明は上記問題点に鑑みてなされたものであり、その課題は、複数枚の原稿の中からあらかじめ送信する原稿を選択し、複写や送信操作を行うことができるファクシミリ装置を提供する。また、裏面を読み取ったデータをそのまま片面印字しかできない受信機に送信するときに、原稿の上下を揃えて送信することができるファクシミリ装置を提供する。
【課題を解決するための手段】
【０００８】
上記課題を解決する手段である本発明の特徴を以下に挙げる。
本発明のファクシミリ装置は、原稿の両面を読み取って複写や送信をするファクシミリ装置において、読み取った原稿の黒字率が算出可能な読取部を備え、該読取部が読み取った原稿の黒字率が所定以下であった場合は白紙ページを削除して、他のページを複写や送信をすることを特徴とする。
また、本発明のファクシミリ装置は、さらに、読取部が白紙ページを検出した場合に、白紙ページを複写や送信の対象とするかオペレータが選択可能とすることを特徴とする。
また、本発明のファクシミリ装置は、さらに、受信側に両面印刷機能がない場合は、自動的に白紙ページを削除して送信することを特徴とする。
また、本発明のファクシミリ装置は、さらに、読取部が裏面を読み取ったデータを上下反対にして送信することを特徴とする。
また、本発明のファクシミリ装置は、さらに、読取部が裏面の読み取ったデータを上下反対しするか、そのまま送信するかを選択可能とすることを特徴とする。
また、本発明のファクシミリ装置は、さらに、読取部が裏面を読み取ったデータを上下反対にし、かつ、白紙ページは削除して送信することを特徴とする。
また、本発明のファクシミリ装置は、さらに、複写や送信をする場合に、表示部に複写や送信の対象となったページ数と削除したページ数と読み取ったページ数を表示することを特徴とする。
【発明の効果】
【０００９】
上記解決するための手段によって、本発明のファクシミリ装置では、原稿の両面を読み取って複写や送信をする装置において、読み取った原稿の黒字率が所定以下であった場合は白紙ページを複写や送信の対象にしなくすることができる。    
また、前述の読取部において、受信側が両面印刷機能がない場合に、白紙ページの送信を省略することができる。
さらに、前述の読取部において、裏面を読み取ったデータを上下反対にして、送信するので、受信側が上下逆さまの受信をなくすることができる。
【発明を実施するための最良の形態】
【００１０】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
図１は、両面読取のファクシミリ装置の外観構成を示す概略図である。
ファクシミリ装置１０は、送信するための原稿を載置する原稿台３と、この原稿を読取部５まで搬送する原稿給紙部４と、原稿を読み取る読取部５と、読み取った原稿を排紙される原稿排紙トレイ７と、さらに、送信されてきた原稿を受信し、画像を形成する画像形成部１とこの画像を排紙する排紙トレイ６からなっている。 また、液晶表示部９は送受信先等の各種情報を表示し、その近傍に配置される操作部８で使用者はファクシミリ装置１０の主な操作を行う。
本発明は、ファクシミリ装置１０に記憶装置を設け、ファクシミリ装置１０に対して脱着可能な記憶媒体にデータを記憶保存する。記憶媒体としては、容量や保存の点から光記録媒体が好適に用いられる。光記録媒体は、ＣＤ−ＲでもＡ４サイズ用紙１００００枚分以上のデータを保存でき十分対応可能であるが、利便性を考慮すると、ＣＤ−ＲＷ、ＤＶＤ＋ＲＷ、ＤＶＤ−ＲＷ等の書き換え型が好ましい。
【００１１】
図２は、本発明のファクシミリ装置における制御を説明するためのブロック図である。以下に、受信・送信時の動作について説明する。
ファクシミリ装置１０がモデム１４及びＮＣＵ１５を介してファクシミリを受信すると、そのデータをメモリ１１により一時保存するとともに、記憶装置内にセットされた記憶媒体１９に記憶保存する。このとき、前記データをパソコン等他のデジタル機器で再生や編集できるように、他のデジタル機器と互換性を有するファイル形式、例えばＴＩＦ形式等に変換して記憶保存する。また、記憶媒体１９に記憶保存するファイルを作成するときに、受信した時刻をファイル作成時刻として記憶保存する。これにより、例えば、「１年前にＡさんから受信したファクシミリ」などを、どこでも容易に検索・閲覧することができ、ファクシミリデータの利用性を広げることができる。プリントアウトが必要であるかどうかは使用者が判断することができ、プリントアウトする際には書込部１８により用紙に印字する。
【００１２】
送信時は、紙の原稿を送信する場合には読取部１７に原稿を読み取らせ、そのデータをメモリ１１に一時保存するとともに、記憶装置内にセットされた記憶媒体１９に記憶保存する。このとき、受信時と同様に、他のデジタル機器と互換性を有するファイル形式で、送信した時刻をファイル作成時刻と記憶保存する。
さらに、ファクシミリ装置１０がワンタッチダイヤル機能を備え、送受信先の名前やファクシミリ番号等の情報がワンタッチダイヤル登録されている場合には、ファイル名をワンタッチダイヤル登録名及び追い番として自動的に保存する。これにより、送信時に相手先を検索しやすくなる。
【００１３】
図３は、両面原稿を読み取る状況を経時的に示した図であり、ペーパーパスを示す概略図である。（ａ）では、原稿を読み取るために原稿台にセットされた原稿は原稿給紙部４における分離部で一番上の原稿が分離搬送される。（ｂ）では、搬送された原稿は、読取部５にある読取センサ（例えばイメージセンサ）の位置で表面を読み取られる。その後、（ｃ）に示すように、表面を読み取った後で、原稿を１回転して裏面を読み取るために、排紙されず、反転位置まで搬送・収納される。次に、（ｄ）に示すように、反転位置から搬送ローラに搬送され、搬送ローラで読取センサ位置まで搬送される。このとき、（ｅ）に示すように、表面の上下の上側は後端になっているので、裏面は後端から読み取られることになる。その後、（ｄ）に示すように、排紙され、２枚目以降の原稿も同様に読み取られる。
【００１４】
図４は、裏面の読み取ったデータの上下を入れ替えるデータの変換を示す図である。裏面のデータが主走査方向にｎ個あって、副走査方向にｍ本あった場合、ｍ本目のデータのｎ番目のデータを１本目のデータの１番目に移動する。ｍ本目のデータの（ｎ−１）番目のデータを１本目のデータの２番目に移動する。同様の操作をｍ本目のデータ全部（ｎ個）で繰り返す。次に、（ｍ−１）本目のデータのｎ番目のデータを２本目のデータの１番目に移動する。（ｍ−１）本目のデータの（ｎ−１）番目のデータを２本目のデータの２番目に移動する。同様の操作を（ｍ−１）本目のデータ全部（ｎ個）で繰り返す。（ｍ−２）本目以降のデータも同様にデータを並べ変える。こうして並べ替えたデータを記憶媒体１９に保存する。
【００１５】
原稿の表面と裏面をそれぞれ読み取って複写や送信をする場合、読み取った原稿の画像データは複写や送信の前に一度読取部５からファクシミリ装置１０内部の記憶媒体１９に保存される。この保存したデータは２値に変換されて圧縮されており、画像データのデータサイズから原稿に書かれている黒字率（黒データの量）を算出することができる。読取部５で読み取った原稿の黒字率が所定以下であった場合は、その面にはデータがない場合は白紙と判断し、そのページのデータを削除する。このような操作を複数枚読み取った原稿で繰り返し、画情報のあるページのみを複写や送信の対象として複写や送信の処理をすることにより、不要な白紙ページを複写や送信の対象外とすることにより、不要な複写や送信をしないように処理をする。
【００１６】
また、前述の読取部５において、白紙ページを検出した場合に、読取部５の表示部に白紙ページがあったことを表示するとともに、白紙ページを複写や送信の対象とするか、確認する制御を追加することにより、白紙ページの処理として複写や送信の対象とするかしないかをオペレータに選択可能とする。例えば、「白紙ページがありました。白紙ページも送信しますか？」と液晶表示部９に表示させ、オペレータが操作部８の「ｙｅｓ」「ｎｏ」のボタンを押すことによって、オペレータの意志を確認することが可能となった。
さらに、前述の読取部５において、読み取ったデータは記憶媒体１９に保存され、その読み取ったデータを送信する場合に、受信側の印字装置が両面印刷に対応しているかどうかを送信の通信プロトコルで確認し、両面印刷に対応していない場合は白紙ページを送信しても、白紙ページを無駄に出力するだけなので、白紙ページの送信をしないで、黒字率が所定以上のページのみを送信することにより、受信側に無駄な出力をさせないとともに、送信時間を短縮することができる。
【００１７】
また、前述の読取部５において、複数の原稿の表面と裏面を読み取ったデータが記憶媒体１９に１枚目の表面、裏面、２枚目の表面、裏面．．．と保存されている。読取は、１枚目の表面を読取、反転ローラで反転し、１枚目の裏面を読取、２枚目の表面を読取、反転ローラで反転し、２枚目の裏面を読取．．．原稿台３にセットされた原稿が読み込まれている。前述したように、１枚目の表面の読取に対して、１枚目の裏面は上下が反対に読み取られる。このデータをそのまま送信すると、裏面は表面に比べて上下が逆さまになっている。保存されたデータの中から、裏面データをデータ変換で並べ替えて、記憶媒体１９に保存する。
表面の読み取ったデータと裏面のデータ変換したデータを送信することにより  受信側では、表面・裏面に関係なく上下関係が一定で受信することができる。
【００１８】
また、前述の読取部５において、裏面の読み取ったデータを上下反対しするか、そのまま送信するかを送信時にファクシミリ装置１０の液晶表示部９に例えば「裏面を上下入れ替えて送信しますか？」と表示させ、操作部８で「ｙｅｓ」「ｎｏ」を選択することにより、読み取ったデータ変換を実施するかしないかを選択できるようにする。
また、前述の読取部５において、表面と裏面データを読取、読み取ったデータから裏面のデータを、データ変換で上下反対にし、かつ、白紙ページは削除して、送信動作に入るようにする。
【００１９】
また、前述の読取部５において、複写や送信をする場合に、読み取ったデータの読取ページ数をカウントするとともに、表示させる。同様に、白紙と判断したページ数をカウントし液晶表示部９に表示させる。また、同様に、送信対象となったページ数を液晶表示部９に表示させる。例えば、
「読取枚数  １０枚」
「白紙枚数    ３枚」
「送信間数    ７枚」
と、表示させることによって、オペレータに送信間数を明確にすることができる。これを画像としてプリントしても良い。
【図面の簡単な説明】
【００２０】
【図１】ファクシミリ装置の外観を示す一例であり、（ａ）前方方向からの斜視図、（ｂ）後方方向からの斜視図である。
【図２−１】本発明のファクシミリ装置における制御を説明するためのブロック図である。
【図２−２】本発明のファクシミリ装置における制御を説明するためのブロック図である。
【図３】表面を読み取った後で、原稿を１回転して裏面を読み取る読取部のペーパーパスを示す概略図である。
【図４】裏面の読み取ったデータの上下を入れ替えるデータの変換を示す図である。
【符号の説明】
【００２１】
１  画像形成部
２  給紙部
３  原稿台
４  原稿給紙装置
５  読取部
６  排紙トレイ
８  操作部
９  液晶表示部
１０  ファクシミリ装置
１１  メモリ
１２  表示部
１３  制御部
１４  モデム
１５  ＮＣＵ
１６  システムメモリ
１７  読取部
１８  書込部
１９  記憶媒体
【図１】
2005101732.tif 000003
【図２−１】
2005101732.tif 000004
【図２−２】
2005101732.tif 000005
【図３】
2005101732.tif 000006
【図４】
2005101732.tif 000007